【手続補正書】
【提出日】平成17年2月1日(2005.2.1)
【手続補正１】
【補正対象書類名】特許請求の範囲
【補正対象項目名】全文
【補正方法】変更
【補正の内容】
【特許請求の範囲】
【請求項１】
ａ）液体ビヒクル、ｂ）少なくとも１つの官能基を結合した顔料を含む少なくとも１つの修飾顔料、ｃ）多価イオンを有する少なくとも１つの塩、およびｄ）少なくとも１つのポリマー、を含み、前記官能基は前記多価イオンと配位しうる、インク用組成物。
【請求項２】
前記ビヒクルが水性ビヒクルである、請求項１記載のインク用組成物。
【請求項３】
前記ビヒクルが非水性ビヒクルである、請求項１記載のインク用組成物。
【請求項４】
前記インク用組成物がインクジェット用のインク用組成物である、請求項１記載のインク用組成物。
【請求項５】
前記官能基が少なくとも１つの有機基を含む、請求項１記載のインク用組成物。
【請求項６】
前記有機基が、少なくとも１つのイオン基、少なくとも１つのイオン化できる基、または少なくとも１つのイオン基および少なくとも１つのイオン化できる基の混合物、を含む、請求項５記載のインク用組成物。
【請求項７】
前記有機基が、少なくとも１つのカルボン酸塩基、スルホン酸塩基、もしくはアンモニウム基を含む、請求項５記載のインク用組成物。
【請求項８】
前記官能基が、少なくとも１つのイオン基、少なくとも１つのイオン化できる基、または少なくとも１つのイオン基および少なくとも１つのイオン化できる基の混合物を含む、請求項１記載のインク用組成物。
【請求項９】
前記官能基が、少なくとも１つのカルボン酸塩基、スルホン酸塩基、もしくはアンモニウム基を含む、請求項１記載のインク用組成物。
【請求項１０】
前記官能基がポリマー基である、請求項１記載のインク用組成物。
【請求項１１】
前記顔料が、カーボンブラック、黒鉛、ビトレアスカーボン、微細カーボン、活性炭、活性木炭、もしくはそれらの混合物である、請求項１記載のインク用組成物。
【請求項１２】
前記顔料がカーボンブラックである、請求項１１記載のインク用組成物。
【請求項１３】
前記顔料が、白色顔料、黒色顔料、青色顔料、茶色顔料、シアン色顔料、緑色顔料、紫色顔料、マジェンタ顔料、赤色顔料、黄色顔料、それらのシェード、またはそれらの組合わせである、請求項１記載のインク用組成物。
【請求項１４】
前記塩の多価イオンが多価金属カチオンを含む、請求項１記載のインク用組成物。
【請求項１５】
前記多価金属カチオンが２価金属カチオンである、請求項１４記載のインク用組成物。
【請求項１６】
前記多価金属カチオンが、カルシウム、カドミウム、銅、鉄、マグネシウム、ニッケル、亜鉛、アルミニウムもしくはジルコニウムカチオンである、請求項１４記載のインク用組成物。
【請求項１７】
前記多価金属カチオンが、Ｃａ+2，Ｃｄ+2，Ｃｕ+2，Ｆｅ+2，Ｍｇ+2，Ｎｉ+2，Ｚｎ+2，Ａｌ+3，Ｆｅ+3およびＺｒ+4からなるリストから選ばれる、請求項１４記載のインク用組成物。
【請求項１８】
前記塩の多価イオンがＺｎ+2もしくはＺｒ+4である、請求項１記載のインク用組成物。
【請求項１９】
前記塩の多価イオンがＺｎ+2である、請求項１記載のインク用組成物。
【請求項２０】
前記塩が多価アニオンを含む、請求項１記載のインク用組成物。
【請求項２１】
前記ポリマーが、多価イオンと配位しうる少なくとも１つの官能基を含む、請求項１記載のインク用組成物。
【請求項２２】
前記官能基が、少なくとも１つのイオン基、少なくとも１つのイオン化できる基、または少なくとも１つのイオン基および少なくとも１つのイオン化できる基の混合物を含む、請求項２１記載のインク用組成物。
【請求項２３】
前記官能基が、少なくとも１つのカルボン酸塩基、スルホン酸塩基、もしくはアンモニウム基を含む、請求項２１記載のインク用組成物。
【請求項２４】
前記ポリマーが、ポリアクリル酸、ポリメタクリル酸、アクリル酸のコポリマー、メタクリル酸のコポリマー、マレイン酸のコポリマー、およびそれらの塩からなるリストから選ばれる、請求項１記載のインク用組成物。
【請求項２５】
前記ポリマーが、スチレン−アクリレートポリマーもしくはスチレン−マレイン酸ポリマーである、請求項１記載のインク用組成物。
【請求項２６】
前記官能基が少なくとも１つのポリマーである、請求項１記載のインク用組成物。
【請求項２７】
１）液体ビヒクル、少なくとも１つの官能基を結合した顔料を含む少なくとも１つの顔料、多価イオンを有する少なくとも１つの塩、および少なくとも１つのポリマーを含むインク用組成物を、印刷装置に供給すること、ならびに２）基体上に画像を形成させること、の段階を含む、画像の形成方法。
【請求項２８】
前記液体ビヒクルが水性ビヒクルである、請求項２７記載の方法。
【請求項２９】
前記液体ビヒクルが非水性ビヒクルである、請求項２７記載の方法。
【請求項３０】
前記方法がインクジェットインク印刷方法である、請求項２７記載の方法。
【手続補正２】
【補正対象書類名】明細書
【補正対象項目名】０００８
【補正方法】変更
【補正の内容】
【０００８】
さらに本発明は上述のインク用組成物を印刷装置に供給すること、および基体上に画像を形成させること、の段階を含む画像形成方法に関する。
【手続補正３】
【補正対象書類名】明細書
【補正対象項目名】００１５
【補正方法】変更
【補正の内容】
【００１５】
修飾されるべき顔料は幅広い範囲の従来の着色顔料から選択されうる。好適には、顔料は白色顔料、黒色顔料、青色顔料、茶色顔料、シアン顔料、緑色顔料、紫色顔料、マジェンタ顔料、赤色顔料、もしくは黄色顔料、またはそれらのシェード（ｓｈａｄｅｓ）もしくは組合わせである。着色顔料の種々の種類は、たとえばアンスラキノン、フタロシアニンブルー、フタロシアニングリーン、ジアゾ、モノアゾ、ピランスロン、ペリレン、ヘテロサイクリックイエロー、キナクリドン、ジケトピロロピロールおよび（チオ）インジゴイドを含む。フタロシアニンブルーの代表例は銅フタロシアニンブルーおよびその誘導体（Pigment Blue 15）を含む。キナクリドンの代表例はPigment Orange 48，Pigment Orange 49，Pigment Red 122，Pigment Red 192，Pigment Red 202，Pigment Red 206，Pigment Red 207，Pigment Red 209，Pigment Violet 19およびPigment Violet 42を含む。アンスラキノンの代表例はPigment Red 43，Pigment Red 194(Perinone Red)，Pigment Red 216(Brominated Pyranthrone Red)およびPigment Red 226(Pyranthrone Red)を含む。ペリレンの代表例はPigment Red 123(Vermillion)，Pigment Red 149(Scarlet)，Pigment Red(Maroon)，Pigment Red 190(Red)，Pigment Violet，Pigment Red 189(Yellow Shade Red)およびPigment Red 224を含む。チオインジブイドの代表例はPigment Red 86，Pigment Red 87，Pigment Red 88，Pigment Red 181，Pigment Red 198，Pigment Violet 36およびPigment Violet 38を含む。ヘテロサイクリックイエローの代表例はPigment Yellow 1，Pigment Yellow 3，Pigment Yellow 12，Pigment Yellow 13，Pigment Yellow 14，Pigment Yellow 17，Pigment Yellow 65，Pigment Yellow 73，Pigment Yellow 74，Pigment Yellow 110，Pigment Yellow 117，Pigment Yellow 128，Pigment Yellow 138およびPigment Yellow 151を含む。ジケトピロロピロールの代表例はPigment Red 254を含む。このような顔料は、BASF Corporation，Engelhard CorporationおよびSun Chemical Corporationを含む多数の供給源から粉末もしくはプレスケーキの形態のいずれでも商業的に入手しうる。他の適切な着色顔料の例はColour Index，３版（The Society of Dyers and Colourists, 1982）に記載されている。黒色顔料の代表例はチャンネルブラック、ファーネスブラックおよびランプブラックのような種々のカーボンブラック（Pigment Black7）を含み、たとえば、Cabot Corporationから入手しうる商標Regal（登録商標）、Black Pearls(登録商標）、Elftex（登録商標）、Monarch（登録商標）、Mogul（登録商標）、およびVulcan（登録商標）のもとで販売されている種々のカーボンブラックを含む（たとえば、Black Pearls（登録商標）2000，Black Pearls（登録商標）1400，Black Pearls（登録商標）1300，Black Pearls（登録商標）1100，Black Pearls（登録商標）1000，Black Pearls（登録商標）900，Black Pearls（登録商標）880，Black Pearls（登録商標）800，Black Pearls（登録商標）700，Black Pearls（登録商標）L，Elftex（登録商標）8，Monarch（登録商標）1400，Monarch（登録商標）1300，Monarch（登録商標）1100，Monarch（登録商標）1000，Monarch（登録商標）900，Monarch（登録商標）880，Monarch（登録商標）800，Monarch（登録商標）700，Mogul（登録商標）L，Regal（登録商標）330，Regal（登録商標）400，Vulcan（登録商標）P）。他の適切なカーボンブラックは、Printex40，Printex80，Printex300，Printex L，Printex U，Printex V，Special Black 4，Special Black 5，FW200（前述のものはDegussa Corporationから入手しうる）、Raven 780，Raven 890，Raven 1020，Raven 1040，Raven 1255，Raven 1500，Raven 5000，Raven 5250（前述のものはColumbian Carbon Chemical Corporationより入手しうる）、ならびに三菱化学株式会社より入手しうるMA100およびMA440、を含むが、これらに限定されない。
【手続補正４】
【補正対象書類名】明細書
【補正対象項目名】００４６
【補正方法】変更
【補正の内容】
【００４６】
さらに、本発明は上述のインク用組成物を印刷装置に供給し、画像を生じさせる基体上に画像を生じさせる方法に関する。この方法は少なくとも１つの官能基を結合した顔料、多価イオンを有する少なくとも１つの塩、および少なくとも１つのポリマーを液体ビヒクルに配合し、ついで印刷装置に供給する段階を含む。ビヒクルは非水性もしくは水性のいずれであってもよい。好適には、その方法はインクジェット印刷法であり、それは非接触プロセスであり、そこではインク細滴が形成され、電子信号に応じて、紙、透明フィルムもしくは繊維材料のような基体上に堆積される。本発明方法はこれらの基体を含む。代表的なインクジェット印刷システムは連続した流れおよびドロップオンデマンド（要求に応じて）であり、それは３つの基本タイプ、すなわち圧電、熱もしくはバブルジェット、ならびにアコ−スティックがある。本発明の方法はインクジェット印刷のこれらの方法を含む。